(57)【特許請求の範囲】
【請求項１】
異なる位置登録エリアに属するセル間を移行する際、移行後のセルに属する基地局に対し、再位置登録を行う移動体通信端末において、
待ち受け状態時に、位置登録エリアを移動して通過に要する想定時間内の再位置登録の連続が規定回数を越えてあったとき通常待ち受け機能とは異なる機能を設定することを特徴とする移動体通信端末。
【請求項２】
請求項１記載の移動体通信端末において、
前記異なる機能の設定後に一定時間再位置登録回数が増加しないときには、前記異なる機能を解除することを特徴とする移動体通信端末。
【請求項３】
請求項１または２に記載の移動体通信端末において、
前記異なる機能が留守番電話機能であることを特徴とする移動体通信端末。
【請求項４】
請求項１または２に記載の移動体通信端末において、
前記異なる機能がバイブレーション機能であることを特徴とする移動体通信端末。
【請求項５】
請求項１または２に記載の移動体通信端末において、
前記異なる機能がハンズフリー機能であることを特徴とする移動体通信端末。
【請求項６】
請求項１または２に記載の移動体通信端末において、
前記異なる機能が発信者に高速移動を通知する機能であることを特徴とする移動体通信端末。
【請求項７】
異なる位置登録エリアに属するセル間を移行する際、移行後のセルに属する基地局に対し、再位置登録を行う移動体通信端末において、
再位置登録動作の発生によって起動するタイマ手段と、
再位置登録動作の発生回数をカウントするカウンタ手段と、
前記タイマ手段によって計測された時間が位置登録エリアを移動して通過に要する想定時間を越えたか否かを判定する第１に判定手段と、
前記カウンタ手段でカウントされた再位置登録動作の発生回数が規定回数を越えたか否かを判定する第２に判定手段とを備え、
前記第１の判定手段により前記想定時間を越えたと判定されたときは前記タイマ手段と前記カウンタ手段とをリセットして待ち受け状態に戻り、
前記想定時間内であった場合には、前記第２の判定手段により前記規定回数内と判定されたときは前記タイマ手段のみをリセットして待ち受け状態に戻り、前記規定回数を越えたと判定されたときは留守番電話動作に切替えることを特徴とする移動体通信端末。
【請求項８】
請求項７に記載の移動体通信端末において、
前記留守番電話機能動作に移行後に、前記カウンタ手段のカウント値が一定時間の間増加しないとき、前記留守番電話機能動作を解除することを特徴とする移動体通信端末。
【発明の詳細な説明】
【０００１】
【発明の属する技術分野】
本発明は移動体通信端末、より具体的には高速移動中の端末機に有利に適応され動作する移動体通信端末に関する。
【０００２】
【従来の技術】
携帯電話や自動車電話等のいわゆる移動体通信システムにおいては、移動体通信端末が移動中にあっても通信が可能であるという大きな特徴があり、近年急速に普及している。
【０００３】
周知のように移動体通信システムでは、移動中でも通信を可能にするため規則的に配置された公衆基地局の中から良好な通信を行える基地局を便宜選択している。
【０００４】
このような基地局の選択処理は異なる位置登録エリアに属するセル間を移動局が移行した場合、基地局から知らされる位置情報が移行前のものから変化していることを認識して移動局が再度位置登録をその基地局に対して要求することによって行われる。
【０００５】
さて、自動車や電車等に乗って移動中（高速移動中）に携帯電話に着信がある場合が発生する。このような場合これに応答すると事故に繋がる危険があったり、周囲の人に迷惑をかける場合があるので応答したくない場合には、あらかじめ乗り物等に乗る前に携帯電話の電源を切っておく必要があった。
【０００６】
【発明が解決しようとする課題】
しかし乗り物に乗る前や自動車運転前に電源を切り忘れてしまうこともしばしばあった。このような場合、自動車運転中に着呼があるとついこれに応答してしまい事故に繋がる危険があった。
【０００７】
また、電車等の車内で携帯電話に応答すると他のお客に迷惑をかけてしまう等の事態が発生した。また、高速移動中は電源を切り通常の状態に戻った時に電源を入れるという動作が煩わしい場合もある。
【０００８】
そこで本発明は、高速移動中に電源を切ることなく着呼時に通常応答とは異なる状態に切替えることにより、安全に機能する移動体通信端末を提供することを目的とする。
【０００９】
【課題を解決するための手段】
本発明の移動体通信端末は、異なる位置登録エリアに属するセル間を移行する際、移行後のセルに属する基地局に対し、再位置登録を行う時、待ち受け状態時に、位置登録エリアを移動して通過に要する想定時間内の再位置登録の連続が規定回数を越えてあったとき通常待ち受け機能とは異なる機能を設定する。
【００１０】
前記移動体通信端末において、前記異なる機能の設定後に一定時間再位置登録回数が増加しないときには、前記異なる機能は解除される。
【００１１】
前記異なる機能は留守番電話機能、バイブレーション機能、ハンズフリー機能、または発信者に高速移動を通知する機能とすることができる。
【００１２】
さらに、本発明の移動体通信端末は、異なる位置登録エリアに属するセル間を移行する際、移行後のセルに属する基地局に対し、再位置登録を行う時、再位置登録動作の発生によって起動するタイマ手段と、再位置登録動作の発生回数をカウントするカウンタ手段と、
前記タイマ手段によって計測された時間が位置登録エリアを移動して通過に要する想定時間を越えたか否かを判定する第１に判定手段と、前記カウンタ手段でカウントされた再位置登録動作の発生回数が規定回数を越えたか否かを判定する第２に判定手段とを備え、前記第１の判定手段により前記想定時間を越えたと判定されたときは前記タイマ手段と前記カウンタ手段とをリセットして待ち受け状態に戻り、前記想定時間内であった場合には、前記第２の判定手段により前記規定回数内と判定されたときは前記タイマ手段のみをリセットして待ち受け状態に戻り、前記規定回数を越えたと判定されたときは留守番電話動作に切替える。
【００１３】
前記移動体通信端末において、前記留守番電話機能動作に移行後に、前記カウンタ手段のカウント値が一定時間の間増加しないとき、前記留守番電話機能動作は解除される。
【００１４】
【発明の実施の形態】
以下添付図面を参照して本発明の実施の形態を詳細に説明する。
【００１５】
図３は、本発明が適用される移動体通信端末の全体構成を示すブロック図である。送受信回路１はＣＰＵ２に制御され送受信動作を行う。ＣＰＵ２はＲＯＭ８に書かれたプログラムに従い、操作キー６及び送受信回路１からの信号により動作し、送受信回路１及びＬＣＤドライバ３を制御する。尚、ＣＰＵ２はＲＡＭ７を一時記憶メモリとして用いている。
【００１６】
ＬＣＤドライバ３はＣＰＵ２に制御され、フォントＲＯＭ５の任意のフォントをＬＣＤ４に指定した場所に表示させる。
【００１７】
また、ＣＰＵ２は音声処理部９を制御し、スピーカ１０及びマイクロフォン１１の音声信号を処理する。
【００１８】
図２は、携帯電話等の移動体通信端末（移動局）が基地局に対して所定位置の登録を行う手順を示した図である。
【００１９】
図２（Ａ）に示すように基地局ＢＳ（Ａ，Ｂ，Ｃ）が各セル毎に設けられており、この同一のセルは基地局ＢＳの位置登録エリアとして設定されている。そこで、基地局ＢＳは位置登録エリア内の全ての移動局ＭＳ１，ＭＳ２，ＭＳ３に対して位置情報として位置登録エリア番号を送信している。移動局ＭＳ１，ＭＳ２，ＭＳ３は基地局ＢＳからの位置情報を受信するとこれを登録するために位置登録要求を基地局ＢＳに対して返信する。
【００２０】
図２（Ｂ）は、移動局ＭＳが異なる位置登録エリアに属するセルに移動した場合の再位置登録の手順を説明するための図である。移動局の所定位置を登録する動作は位置登録エリアを単位として行われる。仮に位置登録エリア（Ａ）を走行している移動局ＭＳは、このエリア内の基地局ＢＳ（Ａ）から位置情報を受信し位置登録を行っている。ここで移動局ＭＳが位置登録エリア（Ｂ）に移動した場合位置登録エリア（Ｂ）に属する基地局（Ｂ）から送られてくる位置情報は、以前に登録した位置情報と異なっている。従って、新しい登録エリア内で受信した位置情報が前に登録した位置情報と異なっていた場合、移動局ＭＳは再度位置登録エリア（Ｂ）に属する基地局ＢＳ（Ｂ）に対して位置登録を要求する。
【００２１】
本発明ではこの位置登録動作を利用して高速移動を検出し、その移動局の待ち受け動作を留守録機能に切替えるようにしている。
【００２２】
図１は、本発明の動作を説明するためのフローチャートである。移動局ＭＳの電源をＯＮすると（ステップ１０１）、移動局ＭＳはまず現在の位置登録エリア内の基地局に対して位置登録を行う（ステップ１０２）。このとき同時に移動局ＭＳ内に設けられたタイマー及びカウンタ初期値を０にセットする。
【００２３】
このような動作が行われた後移動局ＭＳは待ち受け状態となる（ステップ１０３）。移動局ＭＳが他の位置登録エリアへ移行することによって再位置登録が必要となる（ステップ１０４）。このような再位置登録が発生した場合、移動局ＭＳは電源投入後何回再位置登録を行ったかをカウンタを見て判断をする（ステップ１０５）。すなわちカウンタは再位置登録が初めて発生した時点でカウントを開始する。再位置登録が初めてだった場合（カウンタ値が０の場合）、タイマーをスタートさせカウンタの値を１つだけ繰り上げ、再度通常の待ち受け状態に戻る（ステップ１０６）。すなわち、タイマーは再位置登録が最初に発生した時点からスタートをする。再位置登録が初めてではない場合、すなわち、カウンタのカウント値が０以外の場合にはこのカウント値を１つ繰り上げる（ステップ１０７）。その後タイマーのカウント値が規定時間内をオーバーしているか否かを確認する（ステップ１０８）。尚、ここで規定時間は位置登録エリアの直径を移動局ＭＳの想定スピードで除した値と定めることができる。例えば、位置登録エリアの直径が２０ｋｍで移動局の想定移動スピード１００ｋｍ／ｈであった場合には規定時間は１２分となる。タイマーが規定時間をオーバーしていた場合には低速移動と見なし、タイマーとカウンタとを共に０にリセットし通常の待ち受け状態に戻る（ステップ１０９）。タイマーが規定時間内であった場合は更にカウンタの値を確認し、何度再位置登録が行われたかを確認する。
【００２４】
ここで所定の規定回数を越えていない場合（再位置登録がまだ少数回）は、高速移動の疑いを持ちタイマーは０にリセットするが、カウンタのカウント値はそのままに保持して再度通常の待ち受け状態に戻る（ステップ１１０，１１１）。
【００２５】
ステップ１１０においてカウンタのカウント値が規定回数を越えていた場合（再位置登録が多数回発生している）は高速移動と見なし（ステップ１１２）、移動局ＭＳを自動的に留守番電話動作に切替える（ステップ１１３）。その後通常の待ち受け状態に戻る。尚、留守番電話状態になった後は数分おきにまだ再位置登録を行い続けているか否かを確認し、数分に渡って再位置登録を行っていない場合（同一位置登録エリアに移動局がいる）は、この移動局は低速移動を行っていると見なし留守番電話動作を解除する。
【００２６】
尚、上述した実施の形態では高速移動の判定動作を移動体端末側で行うようにしたが、基地局側（ネットワーク側）で行うようにすることも可能である。また、高速移動中と判断した場合、留守番電話機能に切替えるように構成したが、着信を自動的にバイブレーター機能に移行するようにしても良い。
【００２７】
このようにすれば、仮に電車等の乗り物に乗っていた場合に、リンガー音が鳴らないため他のお客への迷惑が減少する。また、高速移動中と判断された場合、ハンズフリー機能に移行するようにすることもできる。
【００２８】
このような機能に移行させれば運転を続けながら通話を行うことができるので安全性を損なうことがない。また、高速移動と判断した場合にこれを自動的に発信者に対して伝え、移動体通信端末が運転中または電車内等にいることを通知するようにしても良い。
【００２９】
さらに、本発明はＰＨＳ（パーソナルハンディフォンシステム）端末や携帯電話機やＧＳＭ（Ｔｈｅ  ＧＳＭ  Ｓｙｓｔｅｍ  ｆｏｒ  Ｍｏｂｉｌｅ  Ｃｏｍｍｕｎｉｃａｔｉｏｎ）システムに見られるＧＳＭ端末（９００ＭＨｚ）やＤＣＳ１８００（１８００ＭＨｚ）の移動体無線端末にも適用することは言うまでもない。
【００３０】
【発明の効果】
以上詳細に説明したように本発明では、高速移動中はこれを自動的に抽出して通常の待ち受け動作とは異なる機能になるように設定したので、乗り物に乗る前に電源を切り忘れても他のお客に迷惑をかけることもなくなり、また、自動車運転中の事故に繋がる危険性も減少する。
【図面の簡単な説明】
【図１】本発明による移動体通信端末の動作を示すフローチャート。
【図２】移動局が基地局に対して所在位置の登録を行う方法を説明するための図。
【図３】本発明に係る移動体通信端末の概略構成を示すブロック図。
【符号の説明】
ＢＳ    基地局
ＭＳ    移動局
１    送受信回路部
２    ＣＰＵ
【図１】
0003607101.tif 000002
【図２】
0003607101.tif 000003
【図３】
0003607101.tif 000004